(57)【要約】      （修正有）【課題】加齢に伴う背屈力の衰えに起因するつまづき転倒を防止すると共に、着用時のフィット感向上、靴擦れの防止を目的とする履物を提供する。【解決手段】アッパー１１、ヒール１２、ソール１３、切り欠き７３、切り欠きの最奥部７４により、該履物を構成する。前記切り欠き７３は、踵相当部の底部であるヒール１２に単一に設け、装着者の重心下方の位置の側方の前後近傍に設ける。【選択図】図１
0003157282.tif 000002
【実用新案登録請求の範囲】
【請求項１】
踵相当部の底部に幅方向に沿った単一の切り欠きを設けたことを特徴とする履物。
【請求項２】
前記切り欠きは、装着者の重心下方の位置の側方の前後近傍に設けられていることを特徴とする請求項１に記載の履物。
【請求項３】
前記切り欠きの最奥部に応力緩和部が設けられていることを特徴とする請求項１又は２に記載の履物。
【請求項４】
前記応力緩和部は、前記切り欠きの最奥部を前後方向に曲面加工されてなることを特徴とする請求項３に記載の履物。
【考案の詳細な説明】
【技術分野】
【０００１】
この考案は、履物に関する。より詳細には、高齢者の歩行時における、つまづき転倒を防止することが可能な履物に関する。
【背景技術】
【０００２】
高齢化社会において、高齢者の歩行時におけるつまづき転倒が多発している。高齢になると下腿の前面の筋力が後面の筋力より著しく衰え、背屈力が乏しくなって、足を上げても、爪先を十分上げることができず、爪先が地面に引っ掛かることが転倒原因となっていると考えられている。
【０００３】
特許文献１には、歩行時に足を上げ踏み出すときに、靴底板の収縮率の違いや甲の覆いの部分の収縮率の違いにより靴底の先端部が上方に上がり、つまづき転倒を防止する高齢者用靴が開示されている。
【０００４】
特許文献２には、靴の踵上部に靴と一体的に形成した足首ベルトと靴の爪先部を弾性体で連結したことにより、爪先を十分に引き上げることができる高齢者用靴が開示されている。
【０００５】
特許文献３には、ゴルフ、野球、ソフトボール、ラクロス等のスイング運動をする際に使用される靴が開示されている。特許文献３に開示された靴は、ねじりまたは回転運動中に安定なサポートを提供することにより、および、着用者の体重がシフトし、および／または着用者の足が動いた時に、着用者の足を接触面と大きな接触面積で維持させることにより、スイング、ステップ、他の体重移動シフト活動中に、着用者に安定で確固たるサポートを提供することができる。
【０００６】
特許文献４には、アッパーと、ソールとを有する履物が開示されている。ソールには特殊なミッドソールと、流体充填チャンバとが備えられている。かかるミッドソールは、比較的高い可撓性および分節性が付与される分節構造を有している。また、流体充填チャンバは、地面の反力軽減特性を高める効果を有している。かかる可撓構造はランニング中に足の自然な動きを補完するように構成され、裸足でランニングしているような感覚を使用者に与えることができる。
【先行技術文献】
【特許文献】
【０００７】
【特許文献１】特開平１１−２２１１０３号公報
【特許文献２】特開２００６−１４１７４７号公報
【特許文献３】特表２００９−５２７３２６号公報
【特許文献４】特表２００９−５２４４５１号公報
【考案の概要】
【考案が解決しようとする課題】
【０００８】
しかし、従来、特に、ヒールが装着された履物は、シャンクという金具により荷重時に沈みこまないように設計されている。
【０００９】
かかるシャンクによりソールが曲がりづらいものであった。
【００１０】
また、ヒールがソールと一体化しているウェッジタイプの履物は、シャンクは使用されていないが、ソールよりもヒールの厚みが厚く曲がりづらいので、高齢者が、このようなソールが曲がりづらい履物を使用すると、つまづき転倒のおそれがあった。
【００１１】
特許文献１に記載された考案では、登坂や昇り階段では、充分に爪先を上げることができず、つまづき転倒を解消することは困難であった。
【００１２】
特許文献２に記載された考案では、爪先を充分に引き上げることによって、つまづきを防止しているが、背屈力の衰えに起因する転倒を解消することは困難であった。
【００１３】
特許文献３および４に記載された考案は、滑りどめとして靴底に多数の溝が設けられているが、つまづき転倒防止には有効ではなかった。
【００１４】
本考案は、以上のような問題を解決するためになされたもので、その目的は、加齢に伴う背屈力の衰えに起因するつまづき転倒を防止すると共に、着用時のフィット感向上、靴擦れの防止を目的とする履物を提供することにある。
【課題を解決するための手段】
【００１５】
上記目的を達成するために、請求項１に記載の考案は、踵相当部の底部に幅方向に沿った単一の切り欠きを設けたことを特徴とする。
【００１６】
また、請求項２に記載の考案は、前記切り欠きは、装着者の重心下方の位置の側方の前後近傍に設けられていることを特徴とする。
【００１７】
また、請求項３に記載の考案は、前記切り欠きの最奥部に応力緩和部が設けられていることを特徴とする。
【００１８】
また、請求項４に記載の考案は、前記応力緩和部は、前記切り欠きの最奥部を前後方向に曲面加工されてなることを特徴とする。
【考案の効果】
【００１９】
この考案に係る履物によれば、歩行時における足関節背屈時の履物の抵抗力を少なくし、つま先を上げやすくすることにより、歩行しやすく、転倒防止を図ることができる。
【００２０】
また、アキレス腱に接する面が上下することを少なくできるので、履物のフィット感が向上し、靴擦れを防止することができる。
【図面の簡単な説明】
【００２１】
【図１】この考案に係る履物の実施形態の構成の一例を示す概略側面図である。
【図２】この考案に係る履物の実施形態のヒールを拡大した概略斜視図である。
【図３】この考案に係る履物に応力がかかった状態を示す概略側面図である。
【図４】この考案に係る履物の実施形態の構成の一例を示す概略側面図である。
【図５】この考案に係る履物の実施形態の構成の一例を示す概略側面図である。
【考案を実施するための形態】
【００２２】
〔第１の実施形態〕
以下、この考案の第１の実施形態に係る履物について説明する。図１は本実施形態に係る履物の概略側面図である。
【００２３】
本実施形態に係る履物は、図１に示すように、アッパー１１、ヒール１２、ソール１３、切り欠き７３、切り欠きの応力緩和部７４を備えている。
【００２４】
アッパー１１は、天然皮革、合成皮革、天然繊維、半合成繊維、合成繊維、高分子シート、高分子発泡体、編物、織物、フェルト生地、不織布、天然ゴム、合成ゴム等を材料として用いて形成されるのが好ましい。
【００２５】
天然繊維としては、植物繊維、動物繊維等が好ましく使用される。植物繊維としては、木綿、麻、絹、亜麻等が好ましく使用される。動物繊維としては、羊毛、絹、カシミヤ等が好ましく使用される。半合成繊維としては、セルロースアセテート繊維等が好ましく使用される。合成繊維材料としては、ポリアミド繊維、ポリエステル繊維、ポリウレタン繊維、ポリビニルアルコール繊維、アラミド繊維等が好ましく使用される。
【００２６】
高分子シートとしては、ポリアミド樹脂、ポリエステル樹脂等からなるシートが好ましく使用される。
【００２７】
高分子発泡体としては、ポリスチレン系発泡体、ポリエチレン系発泡体、ポリウレタン系発泡体等が好ましく使用される。
【００２８】
編物としては、前記の天然繊維、半合成繊維、合成繊維等が好ましく使用される。編成に際しては、天然繊維、半合成繊維、合成繊維等が、適宜、混合されるのが好ましい。編組織としては、天竺編、リブ編、リンクス編、ラッセル編、トリコット編等が好ましく使用される。
【００２９】
織物としては、前記の天然繊維、半合成繊維、合成繊維等が好ましく使用される。織成に際しては、天然繊維、半合成繊維、合成繊維等が、適宜、混合されるのが好ましい。織組織としては、平織、綾織、朱子織等が好ましく使用される。
【００３０】
フェルト生地としては、羊毛等の獣毛繊維からの織フェルト、圧縮フェルト等が好ましく使用される。
【００３１】
不織布としては、前記した獣毛繊維を由来とするもの以外のものも好ましく使用される。前記した天然繊維、半合成繊維、合成繊維等を使用して、乾式法、湿式法、スパンボンド法、メルトブロー法、サーマルボンド法、ケミカルボンド法、ニードルパンチ法、スパンレース法、ステッチボンド法、スチームジェット法等によって製造されるのが好ましい。
【００３２】
天然ゴムとしては、ゴムノキから得られるものが好ましく使用される。また、合成ゴムとしては、アクリル系ゴム、ブタジエン系ゴム、ニトリル系ゴム等が好ましく使用される。
【００３３】
ヒール１２は、前記した皮革、合成皮革、天然繊維、半合成繊維、合成繊維材料、高分子シート、高分子発泡体、編地、織物地、フェルト生地、不織布、天然ゴム、合成ゴム等を材料として用いて形成されるのが好ましい。
【００３４】
ソール１３は、皮革、合成皮革、天然繊維、半合成繊維、合成繊維、高分子シート、高分子発泡体、編物、織物、フェルト生地、不織布、天然ゴム、合成ゴム等を材料として用いて形成されるのが好ましい。
【００３５】
ソール１３は、前記皮革等が複数枚重ねて形成されることも、着地時の衝撃緩和の観点から好ましい。
【００３６】
切り欠き７３は、踵相当部の底部であるヒール１２に単一に設けられている。前記切り欠き７３は、装着者の重心下方の位置の側方の前後近傍に設けられている。
【００３７】
図２は、切り欠き７３の位置を説明する概略斜視図である。
【００３８】
装着者の重心２４ａからヒール１２における接地面２６へ仮想垂線２５が結ばれる。本考案においては、装着者の距腿関節の中心からヒール１２における接地面２６へ仮想垂線２５が結ばれることも好ましい。
【００３９】
当該仮想垂線２５と当該接地面２６との交点２７を含む前記履物の幅方向（履物の長手方向と略直交する短手方向）の仮想基準線２８を挟んでヒール１２の接地面が前後に２分割される。
【００４０】
ここで、装着者の重心２４ａとは、直立静止状態における装着者の全長における重心（身体重心）をいう。
【００４１】
また、ヒール１２とは、使用者が履物を履いた状態で、使用者の踵の下に位置する部位をいい、使用者の踵骨の下部に位置している。
【００４２】
接地面２６とは、ヒール１２と地面とが接触した場合に、ヒール１２と地面との間に存在する仮想平面をいう。ヒール１２に凹凸が設けられていた場合には、ヒール１２の凸部の先端が接する仮想平面をいう。
【００４３】
前記切り欠き７３は、履物の長手方向において、前記仮想基準線２８を中心にして、好ましくはヒール１２の全長の４０％以下の長さの範囲内の位置に設けられ、より好ましくは２０％以下の長さの範囲内の位置に設けられ、さらに好ましくは１０％以下の長さの範囲内の位置に設けられる。
【００４４】
切り欠き７３は、ヒール１２の接地面から前記アッパー１１方向に向かって設けられ、かつ、切り欠き７３が前記ヒール１２を幅方向に貫通して設けられている。切り欠き７３の深さは、ヒール１２の厚みの５０％以上であるのが好ましく、７０％以上であるのがより好ましく、９０％以上であるのがさらに好ましい。ヒール１２が完全に切り欠き７３によって分断された状態（厚みの１００％）も好ましい。この場合には、応力緩和部７４は形成されない。
【００４５】
なお、切り欠き７３の深さは、前記したアッパー１１の素材によって、適宜選択し得る。一般的に、皮革等の堅い材料が使用されているときは、切り欠き７３の深さを深くすることが好ましく行われる。繊維素材等の柔らかい材料が使用されているときは、切り欠き７３の深さを浅くすることが好ましく行われる。
【００４６】
かかる切り欠き７３は、加工性等の観点から、長手方向の縦断面形状はスリット状、テーパー状等のいずれであってもよい。切り欠き７３は、幅方向に貫通するのであれば、長手方向の横断面形状は、直線、曲線等のいずれであってもよい。
【００４７】
切り欠き７３にかかる応力を緩和させる観点から、図１に示されるように応力緩和部７４は、前記切り欠き７３の最奥部が前後方向に曲面加工が施されて形成されることも好ましく行われる。
【００４８】
応力緩和部７４の形状は、幅方向に延びる略円筒形等が好ましい。
【００４９】
なお、履物底に滑り止めとして多数の溝が設けられることも好ましい。本考案においては、履物底全体が撓んでも、本発明の切り欠きを備えればよい。
【００５０】
切り欠き７３は、ヒール１２の厚みによって、適宜、前後に位置調整されることも好ましく行われる。ヒール１２の厚みが増加するにつれ、ヒール１２の厚みが実質的にゼロのときの切り欠き位置よりも前側（爪先側）に設けることも好ましく行われる。
【００５１】
本考案においては、装着者の歩行時の背屈動作を行いやすくさせる観点から、切り欠き７３に、バネ等の弾性部材を挿入することも好ましい。
【００５２】
ヒールを備える履物には、装着者の荷重による沈み込みを防止するため、補強部材が使用されている。
【００５３】
かかる補強部材として、シャンクと称される鋼材が、ヒール１２とソール１３を含む履物底とアッパー１１の間に好ましく使用される。シャンクにより、人が土の上に立つときの踵からボールフレックスラインまでの自然なカーブを履物底に再現して基底部を支えることが可能となる。
【００５４】
装着者の背屈動作を妨げない観点から、前記補強部材は、前記仮想基準線２８よりも前側（爪先側）に備えることが好ましい。
【００５５】
以下、本発明の第１の実施形態における作用について図３を用いて説明する。
【００５６】
図３は、使用者の歩行に伴い、履物に応力がかかった状態を示す概略側面図である。
【００５７】
使用者の歩行動作に伴い、履物にかかる応力が変化する。図２の仮想基準線２８によって２分割されたヒール１２の爪先側部分３１の接地する側の面の仮想法線３３の方向と、踵側部分３２の接地する側の面の仮想法線３４の方向が、履物にかかる応力変化に対応して相対的に変化する。
【００５８】
本願考案に係る履物であれば、爪先側部分３１の接地する側の面の仮想法線３３の方向と、踵側部分３２の接地する側の面の仮想法線３４の方向が、履物にかかる応力変化に対応して相対的に変化するので、使用者の歩行に伴っても、足関節が背屈した際の履物の抵抗力が大きくならず、つま先が地面から離れて、つまづき転倒を防止することができるのである。
【００５９】
また、図３における仮想基準線２８(図２に図示のため、図示しない)によって２分割されたヒール１２の爪先側部分３１の接地面の仮想法線３３と、踵側部分３２の接地面の仮想法線３４によって挟まれた角度４３と、使用者の足首関節の背屈角度４７とが、履物にかかる応力の変化に応じて、略同一となるように相対的に変化する。
【００６０】
背屈角度４７とは、地面に対し足首（図示しない）が前傾したときに、踵側部分３２の接地した地面の水平線４８と、爪先側部分３１の底面の接線４６とに挟まれた角度をいう。背屈角度４７は、足関節角度計等を使用して算出することができる。
【００６１】
本考案に係る履物であれば、仮想法線３３、３４が成す角度４３と、背屈角度４７とが、履物にかかる応力の変化に応じて、略同一となるように相対的に変化するので、使用者の歩行に伴っても、足関節が背屈した際の履物の抵抗力が大きくならず、つま先が地面から離れて、つまづき転倒を防止することができるのである。
【００６２】
[第２の実施形態]
以下、本考案の第２の実施形態を説明する。なお、本実施形態は、スニーカー等のウェッジタイプに関する。
【００６３】
図４は、第２の実施形態に係る履物の概略側面図である。図１と同一符号のものは機能も同一であるため説明を省略する。
【００６４】
前記第１の実施形態との相異点は、ヒール１２が、ソール１３と分離していない点にある。本実施形態においても、前記第１の実施形態と同様に、ヒール１２とは、使用者が履物を履いた状態で、使用者の踵の下に位置する部位をいい、使用者の踵骨の下部に位置している。
【００６５】
本実施形態においては、ヒール１２の厚みが、前記第１の実施形態のヒール１２の厚みより、薄いので、重心が前側（爪先側）へ移行するので、前記第１の実施形態における切り欠き位置よりも前側（爪先側）に設けることも好ましく行われる。
【００６６】
本実施形態における作用・効果は、第１の実施形態と同一である。
【００６７】
[第３の実施形態]
以下、本考案の第３の実施形態を説明する。なお、本実施形態は、パンプス等の足入挿入部が広い履物に関する。
【００６８】
図５は、本実施形態に係る履物の概略側面図である。図１と同一符号のものは機能も同一であるため説明を省略する。
【００６９】
前記第１の実施形態との相異点は、装着者の足入挿入部が広い点にある。本実施形態においても、前記第１の実施形態と同様に、ヒール１２とは、使用者が履物を履いた状態で、使用者の踵の下に位置する部位をいい、使用者の踵骨の下部に位置している。
【００７０】
本実施形態においては、ヒール１２の厚みが、前記第１の実施形態のヒール１２の厚みより、通常、厚いので、ヒール１２の厚みが実質的にゼロのときの切り欠き位置よりも、前側（爪先側）に設けることも好ましく行われる。
【００７１】
本実施形態における作用・効果は、第１の実施形態と同一である。
【００７２】
［付記］
［付記項１］
装着者の重心からの仮想垂線と前記ヒールにおける接地面との交点を含む前記履物の幅方向の仮想基準線を挟んで前記ヒールが前後に分割されてなり、履物にかかる応力変化に応じ、前記仮想基準線を挟んだ両ヒールにおける接地面の仮想法線方向が相対的に変化することを特徴とする履物。
［付記項２］
装着者の重心からの仮想垂線と前記ヒールにおける接地面との交点を含む前記履物の幅方向の仮想基準線を挟んで前記ヒールが前後に分割されてなり、履物にかかる応力変化に応じ、前記仮想基準線を挟んだ両踵部における接地面の仮想法線同士間の角度が、使用者の足首関節の背屈角度と略同一となるように相対的に変化することを特徴とする履物。
【符号の説明】
【００７３】
１１  アッパー
１２  ヒール
１３  ソール
２４ａ  重心
２５  仮想垂線
２６  接地面
２７  交点
２８  仮想基準線
３１  爪先側部分
３２  踵側部分
３３，３４  仮想法線
４３  仮想法線３３、３４が成す角度
４６  爪先側部分３１の底面の接線
４７  背屈角度
４８  水平線
７３  切り欠き
７４  応力緩和部
【図１】
0003157282.tif 000003
【図２】
0003157282.tif 000004
【図３】
0003157282.tif 000005
【図４】
0003157282.tif 000006
【図５】
0003157282.tif 000007